(57)【特許請求の範囲】
【請求項１】
装飾体を有する時計において、
導光性を有し、棒状をなし、その内部に中心軸方向に貫通する貫通孔が設けられ、外周面又は内周面の周方向に沿って環状に形成された凸状曲面又は凹状曲面を有する複数の凸部又は凹部が設けられ、前記装飾体に取り付けられる装飾部材と、
該装飾部材の一端にある開口部に挿入固定された発光素子と、
前記装飾部材の他端に取り付けられ、前記発光素子が発する光を前記装飾部材内方に反射拡散するキャップと、
からなることを特徴とする時計の発光装飾装置。
【請求項２】
装飾体を有する時計において、
導光性を有し、棒状をなし、その端部に収納凹部が設けられ、外周面又は内周面の周方向に沿って環状に形成された凸状曲面又は凹状曲面を有する複数の凸部又は凹部が設けられ、前記装飾体に取り付けられる装飾部材と、
該装飾部材の収納凹部に挿入固定された発光素子と、
からなることを特徴とする時計の発光装飾装置。
【請求項３】
装飾体を有する時計において、
導光性を有し、棒状をなし、その内部に中心軸方向に貫通する貫通孔が設けられ、外周面又は内周面の周方向に沿って環状に形成された凸状曲面又は凹状曲面を有する複数の凸部又は凹部が設けられ、前記装飾体に取り付けられる装飾部材と、
該装飾部材の一端にある開口部に挿入固定された発光素子と、
光拡散性及び透光性を有し、前記装飾部材の貫通孔に挿入された拡散部材と、
からなることを特徴とする時計の発光装飾装置。
【請求項４】
装飾体を有する時計において、
導光性を有し、棒状をなし、その内部に中心軸方向に貫通する貫通孔が設けられ、外周面又は内周面の周方向に沿って環状に形成された凸状曲面又は凹状曲面を有する複数の凸部又は凹部が設けられ、前記装飾体に取り付けられる装飾部材と、
該装飾部材の背後に配置された発光素子と、
からなることを特徴とする時計の発光装飾装置。
【請求項５】
装飾体を有する時計において、
導光性を有し、筒を中心軸に沿って切断してなる形状のように前方に凸状に彎曲した弓形状をなし、外周面又は内周面の周方向に沿って形成された凸状曲面又は凹状曲面を有する複数の凸部又は凹部が設けられ、前記装飾体に取り付けられる装飾部材と、
該装飾部材の背後に配置された発光素子と、
からなることを特徴とする時計の発光装飾装置。
【発明の詳細な説明】
【０００１】
【発明の属する技術分野】
本発明は、例えば時計本体からせり出すステージと人形体のような装飾体を有する時計に関するものであり、特にその装飾体の照明及び演出効果を高める発光装飾装置に関するものである。
【０００２】
【従来の技術】
一般にからくり時計等の時計においては、その動作や音に趣向が凝らされており、光を発する装飾はほとんど用いられていなかった。近年になり、実用新案登録第２５２３３１１号公報に示されているような鐘の照明装置を備えたからくり時計が提案されているが、光を発する装飾を備えたからくり時計はごくわずかしか製品化されていなかった。
【０００３】
【発明が解決しようとする課題】
上記のように、からくり時計等の時計に光を発する装飾があまり使用されていない理由の一つとして、光源となるＬＥＤ等の発光素子の配置位置の選定が非常に難しいことがあげられる。即ち、からくり時計の場合、人形体等の可動部分がリアル且つごく自然に動作しているように見せることが必要であるため、可動部分を動作させるモーター等の駆動部や光源等はできる限り目に付かない部分に隠さなければ興ざめしてしまい、商品価値が著しく低下してしまう。しかしながら、光源のように光を発するものは非常に目に付き易く、その位置や形状がすぐにわかってしまうため、配置が極めて難しかった。
【０００４】
また、光源を隠すため、例えば可動する装飾部分から遠ざけると、装飾部分を照明することができなくなったり、可動する装飾部分の演出効果を高めることができなくなるという課題もあった。
【０００５】
更に、光源を装飾部分から遠ざけた場合、光度を高めなければ照明することができなくなり、消費電力が増大するという課題もあった。
【０００６】
本発明は、上記従来の課題に鑑みなされたもので、光源の位置や形状をわかりにくくすることにより、光源の配置の自由度を高めた時計の発光装飾装置を提供するものである。
【０００７】
【課題を解決するための手段】
本発明の時計の発光装飾装置は、装飾体を有する時計において、導光性を有し、棒状をなし、その内部に中心軸方向に貫通する貫通孔が設けられ、外周面又は内周面の周方向に沿って環状に形成された凸状曲面又は凹状曲面を有する複数の凸部又は凹部が設けられ、前記装飾体に取り付けられる装飾部材と、該装飾部材の一端にある開口部に挿入固定された発光素子と、前記装飾部材の他端に取り付けられ、前記発光素子が発する光を前記装飾部材内方に反射拡散するキャップと、からなるものである。また、その装飾部材に貫通孔を設けずに、その端部に収納凹部を設け、その収納凹部に発光素子を挿入固定したものでもある。また、前記装飾部材の貫通孔に光拡散性及び透光性を有する拡散部材を挿入したものでもある。
【０００８】
また、本発明の時計の発光装飾装置は、装飾体を有する時計において、導光性を有し、棒状をなし、その内部に中心軸方向に貫通する貫通孔が設けられ、外周面又は内周面の周方向に沿って環状に形成された凸状曲面又は凹状曲面を有する複数の凸部又は凹部が設けられ、前記装飾体に取り付けられる装飾部材と、該装飾部材の背後に配置された発光素子と、からなるものでもある。
【０００９】
更に、本発明の時計の発光表示装置は、装飾体を有する時計において、導光性を有し、筒を中心軸に沿って切断してなる形状のように前方に凸状に彎曲した弓形状をなし、外周面又は内周面の周方向に沿って形成された凸状曲面又は凹状曲面を有する複数の凸部又は凹部が設けられ、前記装飾体に取り付けられる装飾部材と、該装飾部材の背後に配置された発光素子と、からなるものでもある。
【００１０】
【発明の実施の形態】
本発明の時計の発光表示装置における装飾部材は、アクリル棒からなるものであり、導光性を有している。通常、アクリル棒に光を当てた場合、光はアクリル棒内を通って端面に導かれる。本発明においては、このようなアクリル棒からなる装飾部材の外面又は内面に複数の凸部又は凹部を設けて、内部を通る光を外方に拡散放射する構造を採用している。このため、光源としての発光素子を装飾部材の端部あるいは背後に配置して装飾部材に光を当てると、装飾部材の内部に入った光が拡散放射され、装飾部材全体が明るく光ることになる。
【００１１】
上記のように、発光素子からの光が装飾部材により拡散放射されて、装飾部材全体が光ることにより、発光素子の位置や形状が判別できなくなる。このため、発光素子を装飾部材の端部に挿入したり、装飾部材の背後に配置してもその位置や形状が前方から判別できなくなり、装飾体の任意の位置に発光装飾装置を配置することが可能となる。
【００１２】
【実施例】
図１は本発明の一実施例に係る時計の発光装飾装置を示す断面図であり、図２は図１に示す発光装飾装置の正面図、図３は図１に示す発光装飾装置の部分拡大断面図、図４及び図５は図１に示す発光装飾装置を時計に取り付けた状態を示す正面図及び断面図である。
【００１３】
２はアクリルからなる棒状の装飾部材である。本実施例における装飾部材２は、筒状に形成され、その内部に中心軸方向に貫通する貫通孔２ａが設けられている。この装飾部材２の外周面には、その周方向に沿って環状に形成された凸部２ｂが一定の間隔をあけて軸方向に複数形成されている。この凸部２ｂは、図３に示すように、その外周端が凸レンズのように凸形状の凸状曲面をなすものとなっている。尚、本実施例及び後述する変更例におけるこの凸部２ｂは装飾部材２の内周面に形成しても良いものであり、また、この凸部２ｂに代えて外周端が凹レンズのように凹形状の凹状曲面をなす環状の凹部を設けても良いものである。
【００１４】
また、この装飾部材２の上部背面には、後述するからくり時計の装飾体に取り付けるための取付部２ｃが設けられている。この取付部２ｃは外周面から突出した円筒形をなすものであり、その先端の開口部２ｄにネジ等が螺合されることにより、装飾体のフレーム等に固定されるものである。
【００１５】
４は装飾部材２の貫通孔２ａの上方の開口部２ｅに嵌め込まれて固定されたＬＥＤ等からなる発光素子である。
【００１６】
６は装飾部材２の下方の端部に取り付けられたキャップである。このキャップ６は、装飾部材２の内部あるいは貫通孔２ａ内部あるいは貫通孔２ａ内を中心軸方向に通過する光を装飾部材２内に反射して外方に照射させるものである。
【００１７】
上記構成からなる発光装飾装置１においては、発光素子４から照射された光が装飾部材２の内部を通って各凸部２ｂにて拡散されて外方へ照射される。また、装飾部材２の内部及び貫通孔２ａを通過した光は、キャップ６にて装飾部材２内に反射され、この反射光も各凸部２ｂにて拡散され外方へ照射される。このため、発光素子４が装飾部材２の上端に取り付けられているにもかかわらず、ＦＬ管のように装飾部材２全体が明るくなる。このため、発光素子４の位置やその形状を明確に判別することはできなくなる。
【００１８】
尚、上記発光装飾装置１のように装飾部材２にキャップ６を取り付けると、発光素子４から遠い装飾部材２の下端付近をキャップ６の反射光で照らすことができ、装飾部材２全体をほぼ均等に明るくするのに有効である。但し、装飾部材２の長さや発光素子４の光量によってはキャップ６を使用しなくても、装飾部材２全体を明るくすることができるため、この場合にはキャップ６を使用しなくても良い。
【００１９】
上記のような発光装飾装置１は、図４及び図５に示すようなからくり時計等の時計１０に取り付けることが可能である。即ち、この時計１０の時計本体１２の内部下方には、ステージと人形体を備えた装飾体１４が上下に移動可能な状態で収納されている。この装飾体１４は、毎正時に、メロディ音が発せられると下方に降下し人形体が動作するように構成されている。前述した発光装飾装置１は発光素子４が装飾部材２に取り付けられているため、装飾体１４のフレーム１４ａにネジ等を用いて装飾部材２の取付部２ｃを固定することにより取り付けるだけで装飾体１４に取り付けることができる。尚、発光装飾装置１の上端、即ち発光素子４のリード端子は少なくとも時計本体１２内に隠れるように位置付けることが好ましい。
【００２０】
このように可動する装飾体１４が時計本体１２の下方に設けられた時計１０においては、設置場所により装飾体１４が暗くなることもあるが、発光装飾装置１で照明することにより細かな動作まで明瞭に見えるようにすることができる。特に、メロディ音に合わせて発光装飾装置１を点滅させることにより、演出効果を高めることもできる。尚、このように発光装飾装置１が点灯するときには、前述したようにその装飾部材２全体が明るくなり、発光素子４の位置や形状はほとんど判別できない状態となっている。
【００２１】
図６は図１に示す発光装飾装置１における発光素子４の取付位置を変更した実施例を示す断面図である。図６に示す発光素子４は、可動する装飾体１４のフレーム１４ａに固着されており、装飾部材２はその背後に発光素子４が位置するようにフレーム１４ａに取り付けられている。このように、装飾部材２をその背後から発光素子４の光を照射すると、その光は、背面側の凸部２ｂで拡散されて装飾部材２の内部に入り、その後更に正面側の凸部２ｂで拡散されて外方に照射されることになる。このときに装飾部材２は導光性を有するため、光はその軸方向にも向かい、装飾部材２全体が明るくなる。この場合においても、発光素子４の位置や形状は判別しにくくなる。尚、このように装飾部材２の背後に発光素子４を配置した場合には、キャップ６を設けなくても良いし、また、装飾部材２の上下端の両方に取り付けても良い。
【００２２】
図７は図１に示す発光装飾装置１における装飾部材２の内部を変更した実施例を示す断面図である。前述した実施例における装飾部材２は、その内部に貫通孔２ａが形成されていたが、このように貫通孔２ａを形成せずに、発光素子４が収まる収納凹部を装飾部材２の上部に設けるように構成しても良い。また、図７に示すように、装飾部材２に設けた貫通孔２ａに光拡散性及び透光性を有する拡散部材１６を挿入しても良い。この拡散部材１６としては表面に凹凸を有する棒材や、金属粉やガラスビーズ等を混入した樹脂等が好ましく、それらを着色することで発光色を変えることも可能となる。
【００２３】
図８は図１に示す発光装飾装置１における装飾部材２の形状を変更すると共に発光素子４の位置を変更した実施例を示す平面図である。図８に示す装飾部材２は、図１に示すものを中心軸に沿って切断したような、前方に凸状に彎曲した弓形状をなすものとなっている。この装飾部材２においては、その正面側の外周面だけでなく背面側の内周面にも複数の凸部２ｂを容易に形成することができる。また、発光素子４は、この装飾部材２の背後に配置されている。このように板を彎曲させたような形状に装飾部材２を変更することにより、金型を簡素化することができ、材料費も低減することができる。
【００２４】
【発明の効果】
本発明によれば、装飾部材の導光性と表面又は内面の凸部又は凹部により、その上部又は背後に配置された発光素子からの光により装飾部材全体が明るく光り、発光素子の位置や形状が正面から見てわからないようにすることができる。このため、からくり時計等の時計に取り付ける場合、光源の位置や形状が明確にならない状態で装飾体を近くから照明することができ、その動作を引き立たせ演出効果を高めることができる。
【００２５】
また、装飾部材に発光素子を固定するものにおいては、装飾部材を時計に取り付けるだけで発光素子も取り付けることができ、組立時の作業性を向上することができる。
【００２６】
更に、可動する装飾体に直接取り付けることができると共に可動部分の近くに取り付けることができるので、光量や発光素子の数が少なくても十分有効な照明を行うことができ、消費電力を最小限に抑えることができる。
【図面の簡単な説明】
【図１】本発明の一実施例に係る時計の発光装飾装置の断面図である。
【図２】図１に示す発光装飾装置の正面図である。
【図３】図１の部分拡大断面図である。
【図４】図１に示す発光装飾装置を取り付けた時計を示す正面図である。
【図５】図４に示す時計の断面図である。
【図６】図１に示す発光装飾装置における発光素子の取付位置を変更した実施例を示す断面図である。
【図７】図１に示す発光装飾装置における装飾部材の内部を変更した実施例を示す断面図である。
【図８】図１に示す発光装飾装置における装飾部材の形状を変更すると共に発光素子の位置を変更した実施例を示す平面図である。
【符号の説明】
１          発光装飾装置
２          装飾部材
４          発光素子
６          キャップ
１０        時計
１２        振動棒
１４        装飾体
【図１】
0003626881.tif 000002
【図２】
0003626881.tif 000003
【図３】
0003626881.tif 000004
【図４】
0003626881.tif 000005
【図５】
0003626881.tif 000006
【図６】
0003626881.tif 000007
【図７】
0003626881.tif 000008
【図８】
0003626881.tif 000009